(57)【要約】【目的】本発明の目的は、固形物が流出しない溶融スラグ吐出ポットを提供することにある。【解決手段】溶融スラグ吐出ポット３は、逆円錐台形状のポット本体３Ａからなり、該ポット本体３Ａの側壁に溶融スラグ吐出口３０が形成されている。さらに該ポット本体３Ａの外壁面であって該溶融スラグ吐出口３０の下端には、溶融スラグ案内部材３５が配設され、溶融スラグ２０が流れる溶融スラグ案内路３７が形成されている。また、該溶融スラグ案内部材３５の先端にはＲ加工された湾曲部３８Ａ，３８Ｂが形成されている。また、前記ポット本体３Ａの上端開口３Ｃであって、前記溶融スラグ吐出口３０の上方には、スキンマー４０が取り付けられている。【選択図】図３
2010144228.tif 000002
【特許請求の範囲】
【請求項１】
基台に傾動可能に枢設されたポット本体を具備し、該ポット本体に溶融スラグが投入され、該ポット本体が傾動することにより、投入された該溶融スラグが、隣接する溶融スラグ樋に吐出される溶融スラグ吐出ポットであって、
前記ポット本体の側壁部分には、貫通孔が開設されており、
該貫通孔が、投入された溶融スラグを前記溶融スラグ樋へ吐出するための溶融スラグ吐出口とされていることを特徴とする溶融スラグ吐出ポット。
【請求項２】
前記溶融スラグ吐出口は、横幅約１５０ｍｍ〜約３００ｍｍ、縦幅約１００ｍｍ〜約２００ｍｍの矩形とされている請求項１記載の溶融スラグ吐出ポット。
【請求項３】
前記ポット本体の外壁面であって前記溶融スラグ吐出口の下端からは、該溶融スラグ吐出口から吐出された溶融スラグを前記溶融スラグ樋に案内する溶融スラグ案内部材が差し出されている請求項１又は請求項２記載の溶融スラグ吐出ポット。
【請求項４】
前記溶融スラグ案内部材の先端部が、該溶融スラグ案内部材の差出方向に沿って湾曲加工されている請求項３記載の溶融スラグ吐出ポット。
【請求項５】
前記ポット本体の上端縁であって前記溶融スラグ吐出口の上方位置には、該ポット本体の中心軸に向かって突き出され、該ポット本体に内在する固形物の流出を阻止する固形物流出阻止板が配設されている請求項１乃至請求項４のいずれか１項に記載の溶融スラグ吐出ポット。
【請求項６】
前記ポット本体は、逆円錐台形状である請求項１乃至請求項５のいずれか１項に記載の溶融スラグ吐出ポット。
【請求項７】
前記ポット本体は、鋳鋼からなる請求項１乃至請求項６のいずれか１項に記載の溶融スラグ吐出ポット。
【発明の詳細な説明】
【技術分野】
【０００１】
本発明は、溶融スラグを水砕、風砕、又は風水砕処理する処理設備に配置された溶融スラグ吐出ポットに関するものである。
【背景技術】
【０００２】
従来、電気炉製鋼で発生する溶融スラグの水砕、風砕、又は風水砕処理設備が提案されている（例えば、特許文献１，２参照）。そして、該処理設備には、基台に傾動可能に枢設されたポットが設けられている。該ポットは、投入された溶融スラグを一旦貯留すると共に、傾動することにより、投入された該溶融スラグを、隣接する溶融スラグ樋に注ぐものである。ここで、該ポットから注がれる溶融スラグは、傾動した該ポットの上縁から流れ出す。
【０００３】
【特許文献１】特開２００２−１４６４１２号公報（図１参照）
【特許文献２】特開２００６−１７０５１３号公報（図２参照）
【発明の開示】
【発明が解決しようとする課題】
【０００４】
しかしながら、上記特許文献に開示されるような従来構成では、次に示す問題があった。すなわち、前記ポットに投入された溶融スラグにあっては、時間が経過するにつれてその液面に球形粒状の固形物からなる薄膜（いわゆるスラグ表皮）が形成されてポット内で浮遊するところ、この状態で該ポットの上縁から溶融スラグを注ぐと、該固形物や不純物もいっしょに溶融スラグ樋へ流れ出てしまい、あるいは上縁付近で固形物が滞留して円滑な注ぎ出しができず、水砕、風砕、又は風水砕処理する際に歩留まりが低下してしまう、あるいは作業効率が低下してしまうということがあった。  
【０００５】
そこで、本発明は、上記問題を解決することができる溶融スラグ吐出ポットを提供することを目的とする。
【課題を解決するための手段】
【０００６】
本発明は、基台に傾動可能に枢設されたポット本体を具備し、該ポット本体に溶融スラグが投入され、該ポット本体が傾動することにより、投入された該溶融スラグが、隣接する溶融スラグ樋に吐出される溶融スラグ吐出ポットであって、前記ポット本体の側壁部分には、貫通孔が開設されており、該貫通孔が、投入された溶融スラグを前記溶融スラグ樋へ吐出するための溶融スラグ吐出口とされていることを特徴とする溶融スラグ吐出ポットである。
前記溶融スラグ吐出口は、横幅約１５０ｍｍ〜約３００ｍｍ、縦幅約１００ｍｍ〜約２００ｍｍの矩形であることが望ましい。
前記ポット本体の外壁面であって前記溶融スラグ吐出口の下端からは、該溶融スラグ吐出口から吐出された溶融スラグを前記溶融スラグ樋に案内する溶融スラグ案内部材が差し出されている構成が望ましい。
また、前記溶融スラグ案内部材の先端部が、該溶融スラグ案内部材の差出方向に沿って湾曲加工されていることが望ましい。
前記ポット本体の上端縁であって前記溶融スラグ吐出口の上方位置には、該ポット本体の中心軸に向かって突き出され、該ポット本体に内在する固形物の流出を阻止する固形物流出阻止板が配設されてもよい。
前記ポット本体は、逆円錐台形状であることが望ましい。
前記ポット本体は、鋳鋼からなることが望ましい。
【発明の効果】
【０００７】
〔作用〕
本発明の溶融スラグ吐出ポットにあって、投入された溶融スラグが前記溶融スラグ吐出口から注ぎ出される際には、該溶融スラグ吐出口の内壁側上縁に、液面に形成されている溶融スラグ固形物が引っかかって外に流れ出さない。このため、溶融状態にある溶融スラグのみが溶融スラグ樋に注がれることとなる。
前記溶融スラグ吐出口を横幅約１５０ｍｍ〜約３００ｍｍ、縦幅約１００ｍｍ〜約２００ｍｍの矩形で構成すると、溶融スラグ吐出口から吐出する溶融スラグ流が安定する。
溶融スラグを溶融スラグ樋に案内する案内部材を設けると、円滑に溶融スラグを溶融スラグ樋へ注ぐことが可能となり、作業効率が向上する。
また、該案内部材の先端部が、前記のように湾曲加工されていると、円滑に溶融スラグが溶融スラグ樋へ流下する。
前記固形物流出阻止板が配設されると、前記の固形物が該ポット本体の上端開口から外部へ流れ出てしまうことがない。
前記ポット本体が逆円錐台形状であると、該ポット本体が堅牢となると共に、内壁に付着した溶融スラグが容易に剥離するという利点がある。
前記ポット本体が鋳鋼であると、該ポット本体が非常に堅牢となると共に、内壁に付着した溶融スラグが容易に剥離し、メンテナンス性に優れるという利点がある。
【０００８】
〔効果〕
本発明は、溶融スラグの固形物が流れ出さない溶融スラグ吐出ポットであるため、歩留まりの高い水砕、風砕又は風水砕処理が可能となる。
【発明を実施するための最良の形態】
【０００９】
本発明を詳細に説明する。なお、本発明は、風砕処理を例に説明しているが、水砕処理設備に適用してもよいし、風水砕処理設備に適用してもよい。
【００１０】
図１に示すように、スラグ風砕処理設備１は、鉱滓車２Ａが停車する溶融スラグ投入位置２を備えている。また、該溶融スラグ投入位置２に隣接して、溶融スラグ吐出ポット３が配置されている。さらに、該溶融スラグ吐出ポット３に隣接して、溶融スラグ樋６が配置されている。また、該溶融スラグ樋６の下方には、風砕処理用の気流を形成する風砕処理手段９が配置されている。
【００１１】
前記の溶融スラグ吐出ポット３は、ポット本体３Ａを有し、該ポット本体３Ａが基台４に傾動可能に枢設されている。そして、該ポット本体３Ａは、公知の傾動手段５により、通常位置から約９０°までの範囲内で傾動する。なお、該ポット本体３Ａの通常位置とは、ポット本体３Ａの中心軸ＣＬ（図２ａ参照）が略鉛直方向となる位置である。
【００１２】
前記スラグ風砕処理設備１にあって、鉱滓車２Ａが溶融スラグ投入位置２に到着すると、該鉱滓車２Ａの荷台に配置されたポット２Ｂが後方へ傾動し、通常位置にある前記溶融スラグ吐出ポット３内に、上端開口３Ｃを介して溶融スラグ２０が投入される。さらに、図２ａに示すように、該溶融スラグ吐出ポット３が傾動して、前記溶融スラグ樋６に溶融スラグ２０が注ぎ出される。該溶融スラグ樋６に注ぎ出された溶融スラグ２０は、下方に流下すると共に、前記風砕処理手段９により形成された気流によって所定方向へ吹き飛ばされて風砕処理される。
【００１３】
〔溶融スラグ吐出ポット〕
前記溶融スラグ吐出ポット３は、鋳鋼性で、約８０ｍｍ〜約１００ｍｍの肉厚で製造された逆円錐台形状のポット本体３Ａを主体としている。また、該ポット本体３Ａの側壁３Ｂ部分には、周囲が囲繞されてなる矩形の貫通孔が開口しており、該貫通孔が溶融スラグ吐出口３０とされている。なお、図４に示すように、該溶融スラグ吐出口３０は、横幅Ｌ１が約１５０ｍｍ〜約３００ｍｍ、縦幅Ｌ２が約１００ｍｍ〜約２００ｍｍである横長矩形とされるのが好ましい。また、該ポット本体３Ａにおいて、該ポット本体３Ａの上縁３Ｄと該溶融スラグ吐出口３０の上縁３０Ａとの天端距離Ｌ３が約２００ｍｍ〜約５００ｍｍとされるのが好ましい。
【００１４】
また、図３に示すように、該ポット本体３Ａの外壁面からは、溶融スラグ案内部材３５が外向きに差し出されている。該溶融スラグ案内部材３５は、前記溶融スラグ吐出口３０の下端に配置され、溶融スラグ吐出口３０の開口面に対して約２０〜３０度の角度で下方に傾斜した傾斜面３５Ａを有する。また、該溶融スラグ案内部材３５は、該溶融スラグ吐出口３０の左右両側に各々立設された案内壁３６，３６を備えている。そして、この案内壁３６，３６の間に、溶融スラグ２０が流れる溶融スラグ案内路３７が形成されている。
【００１５】
また、該溶融スラグ案内部材３５の先端部には、上側湾曲部３８Ａと下側湾曲部３８Ｂとが設けられて丸みが施されている。すなわち、各湾曲部３８Ａ，３８Ｂは、溶融スラグ２０の流動方向（溶融スラグ案内部材３５の差出方向）に沿って各々湾曲加工（Ｒ加工）されており、各湾曲部３８Ａ，３８Ｂにおける曲率半径Ｒ（ｍｍ）は、約６０〜約８０に設定されている。
【００１６】
また、図２，３に示すように、前記ポット本体３Ａの上縁３Ｄであって、前記溶融スラグ吐出口３０の上方位置には、内向き（ポット本体３Ａの中心軸ＣＬ方向）に突き出されたスキンマー４０（例えば多孔性じゃま板）が取り付けられている。なお、該スキンマー４０により、本発明の固形物流出阻止板が構成される。
【００１７】
これまでに述べた構成にあって、溶融スラグ２０が内在した状態でポット本体３Ａが傾動すると、該溶融スラグ２０は、該溶融スラグ吐出口３０から注ぎ出される。このとき、該溶融スラグ吐出口３０の内壁側上縁には、図２ａに示すように、液面に形成された溶融スラグ固形物２０Ａが引っかかって付着していく。このため、該固形物２０Ａは外部へ流出することがない。また、前記天端距離Ｌ３を少なくとも約２００ｍｍ以上に設定したため、該溶融スラグ固形物２０Ａやその他の不純物が上端開口３Ｃから外部へ流出してしまうことがない。すなわち、該溶融スラグ吐出口３０と上縁３Ｄとの間の上壁部３Ｅが、堰の役割を果たしている。
以上より、溶融状態にある溶融スラグ２０のみが該溶融スラグ吐出口３０から吐出されるから、風砕処理における歩留まりが向上し、品質向上につながる。
【００１８】
なお、溶融スラグ吐出口３０から吐出された溶融スラグ２０は、次に前記溶融スラグ案内路３７を流下し、下方に配された前記溶融スラグ樋６に注がれる。ここで、上述のように、該溶融スラグ案内路３７の先端部には、湾曲部３８Ａ，３８Ｂが配されているため、該溶融スラグ２０は、該溶融スラグ案内部材３５の先端部で滞留することなく円滑に、溶融スラグ樋６へ流れ落ちる。
【００１９】
ところで、図２ｂに示すように、該ポット本体３Ａ内の溶融スラグ２０が少量となるにつれて順次該ポット本体３Ａは大きく傾けられるが、前記スキンマー４０により、固形物２０Ａの排出が阻止される。
更に詳述すると、ポット本体３Ａが大きく傾いた状態においては、前記固形物２０Ａは、該スキンマー４０と前記上壁部３Ｅとで挟まれた空間４１に収集されることとなり、上端開口３Ｃから外部へ流出してしまうことがない。なお、該スキンマー４０に配された複数の透孔により、該空間４１に集められた溶融スラグ２０が外部へ流出できるようにしている。
【００２０】
上述した構成は、望ましい形態として説明したが、状況に応じて適宜変更可能である。例えば、前記溶融スラグ案内部材３５は、鋳鋼性としてもよいし、あるいは溶接手段によってポット本体３Ａへ取り付けてもよい。また、本発明の溶融スラグ吐出口３０は、上記寸法に限定されず、また矩形に限定されることもない。なお、溶融スラグ吐出口３０の寸法を適宜変更すると、吐出させる溶融スラグ２０の流量を精度良く所望値に設定することができる。また、上記実施例は、固形物流出阻止板として前記スキンマー４０を採用し、その透孔により溶融スラグ２０の通過を可能としたものであるが、透孔を備えない板部材で固形物流出阻止板を構成してもよい。また、前記固形物流出阻止板は、ポット本体３Ａに対して着脱可能としてもよく、作業状況に応じて取り外してもよい。また、上記した溶融スラグは、酸化スラグであってもよいし、還元スラグであってもよい。
【産業上の利用可能性】
【００２１】
本発明にあっては、歩留まりの高い水砕、風砕、又は風水砕処理が提供されるものであり、産業上利用可能である。
【図面の簡単な説明】
【００２２】
【図１】風砕処理設備の説明図である。
【図２】ａ）は傾動したポット本体の断面図であり、ｂ）はさらに傾動したポット本体の断面図である。
【図３】溶融スラグ吐出口を示す外観斜視図である。
【図４】溶融スラグ吐出口の正面図である。
【符号の説明】
【００２３】
３    溶融スラグ吐出ポット
３Ａ  ポット本体
３Ｂ  側壁
３Ｃ  上端開口
３Ｄ  上端縁
４    基台
６    溶融スラグ樋
２０  溶融スラグ
３０  溶融スラグ吐出口
３５  溶融スラグ案内部材
３７  溶融スラグ案内路
３８Ａ，３８Ｂ  湾曲部
４０  スキンマー（固形物流出阻止板）
【図１】
2010144228.tif 000003
【図２】
2010144228.tif 000004
【図３】
2010144228.tif 000005
【図４】
2010144228.tif 000006
【手続補正書】
【提出日】平成22年4月15日(2010.4.15)
【手続補正１】
【補正対象書類名】特許請求の範囲
【補正対象項目名】全文
【補正方法】変更
【補正の内容】
【特許請求の範囲】
【請求項１】
基台に傾動可能に枢設されたポット本体を具備し、該ポット本体に溶融スラグが投入され、かつ溶融スラグが該ポット本体に内在した状態で液面には溶融スラグ固形物が形成され、該ポット本体が傾動することにより、投入された該溶融スラグが、隣接する溶融スラグ樋に吐出される溶融スラグ吐出ポットであって、
前記ポット本体の側壁部分には、貫通孔が開設されており、
該貫通孔が、投入された溶融スラグを前記溶融スラグ樋へ吐出するための溶融スラグ吐出口とされ、
該ポット本体が傾動することにより、前記溶融スラグは、該溶融スラグ吐出口から注ぎ出され、前記液面に形成されている溶融スラグ固形物は該ポット本体に形成された該溶融スラグ吐出口の内壁側上縁に引っかかって外に流れ出さないことを特徴とする溶融スラグ吐出ポット。
【請求項２】
前記溶融スラグ吐出口は、横幅１５０ｍｍ〜３００ｍｍ、縦幅１００ｍｍ〜２００ｍｍの矩形とされている請求項１記載の溶融スラグ吐出ポット。
【請求項３】
前記ポット本体の外壁面であって前記溶融スラグ吐出口の下端からは、該溶融スラグ吐出口から吐出された溶融スラグを前記溶融スラグ樋に案内する溶融スラグ案内部材が差し出されている請求項１又は請求項２記載の溶融スラグ吐出ポット。
【請求項４】
前記溶融スラグ案内部材の先端部が、該溶融スラグ案内部材の差出方向に沿って湾曲加工されている請求項３記載の溶融スラグ吐出ポット。
【請求項５】
前記ポット本体の上端縁であって前記溶融スラグ吐出口の上方位置には、該ポット本体の中心軸に向かって突き出され、該ポット本体に内在する固形物の流出を阻止する固形物流出阻止板が配設されている請求項１乃至請求項４のいずれか１項に記載の溶融スラグ吐出ポット。
【請求項６】
前記ポット本体は、逆円錐台形状である請求項１乃至請求項５のいずれか１項に記載の溶融スラグ吐出ポット。
【請求項７】
前記ポット本体は、鋳鋼からなる請求項１乃至請求項６のいずれか１項に記載の溶融スラグ吐出ポット。
【手続補正２】
【補正対象書類名】明細書
【補正対象項目名】全文
【補正方法】変更
【補正の内容】
【発明の詳細な説明】
【技術分野】
【０００１】
本発明は、溶融スラグを水砕、風砕、又は風水砕処理する処理設備に配置された溶融スラグ吐出ポットに関するものである。
【背景技術】
【０００２】
従来、電気炉製鋼で発生する溶融スラグの水砕、風砕、又は風水砕処理設備が提案されている（例えば、特許文献１，２参照）。そして、該処理設備には、基台に傾動可能に枢設されたポットが設けられている。該ポットは、投入された溶融スラグを一旦貯留すると共に、傾動することにより、投入された該溶融スラグを、隣接する溶融スラグ樋に注ぐものである。ここで、該ポットから注がれる溶融スラグは、傾動した該ポットの上縁から流れ出す。
【０００３】
【特許文献１】特開２００２−１４６４１２号公報（図１参照）
【特許文献２】特開２００６−１７０５１３号公報（図２参照）
【発明の開示】
【発明が解決しようとする課題】
【０００４】
しかしながら、上記特許文献に開示されるような従来構成では、次に示す問題があった。すなわち、前記ポットに投入された溶融スラグにあっては、時間が経過するにつれてその液面に球形粒状の固形物からなる薄膜（いわゆるスラグ表皮）が形成されてポット内で浮遊するところ、この状態で該ポットの上縁から溶融スラグを注ぐと、該固形物や不純物もいっしょに溶融スラグ樋へ流れ出てしまい、あるいは上縁付近で固形物が滞留して円滑な注ぎ出しができず、水砕、風砕、又は風水砕処理する際に歩留まりが低下してしまう、あるいは作業効率が低下してしまうということがあった。
【０００５】
そこで、本発明は、上記問題を解決することができる溶融スラグ吐出ポットを提供することを目的とする。
【課題を解決するための手段】
【０００６】
本発明は、基台に傾動可能に枢設されたポット本体を具備し、該ポット本体に溶融スラグが投入され、かつ溶融スラグが該ポット本体に内在した状態で液面には溶融スラグ固形物が形成され、該ポット本体が傾動することにより、投入された該溶融スラグが、隣接する溶融スラグ樋に吐出される溶融スラグ吐出ポットであって、前記ポット本体の側壁部分には、貫通孔が開設されており、該貫通孔が、投入された溶融スラグを前記溶融スラグ樋へ吐出するための溶融スラグ吐出口とされ、該ポット本体が傾動することにより、前記溶融スラグは、該溶融スラグ吐出口から注ぎ出され、前記液面に形成されている溶融スラグ固形物は該ポット本体に形成された該溶融スラグ吐出口の内壁側上縁に引っかかって外に流れ出さないことを特徴とする溶融スラグ吐出ポットである。
前記溶融スラグ吐出口は、横幅１５０ｍｍ〜３００ｍｍ、縦幅１００ｍｍ〜２００ｍｍの矩形とされているであることが望ましい。
前記ポット本体の外壁面であって前記溶融スラグ吐出口の下端からは、該溶融スラグ吐出口から吐出された溶融スラグを前記溶融スラグ樋に案内する溶融スラグ案内部材が差し出されている構成が望ましい。
また、前記溶融スラグ案内部材の先端部が、該溶融スラグ案内部材の差出方向に沿って湾曲加工されていることが望ましい。
前記ポット本体の上端縁であって前記溶融スラグ吐出口の上方位置には、該ポット本体の中心軸に向かって突き出され、該ポット本体に内在する固形物の流出を阻止する固形物流出阻止板が配設されてもよい。
前記ポット本体は、逆円錐台形状であることが望ましい。
前記ポット本体は、鋳鋼からなることが望ましい。
【発明の効果】
【０００７】
〔作用〕
本発明の溶融スラグ吐出ポットにあって、投入された溶融スラグが前記溶融スラグ吐出口から注ぎ出される際には、該溶融スラグ吐出口の内壁側上縁に、液面に形成されている溶融スラグ固形物が引っかかって外に流れ出さない。このため、溶融状態にある溶融スラグのみが溶融スラグ樋に注がれることとなる。
前記溶融スラグ吐出口を横幅１５０ｍｍ〜３００ｍｍ、縦幅１００ｍｍ〜２００ｍｍの矩形で構成すると、溶融スラグ吐出口から吐出する溶融スラグ流が安定する。
溶融スラグを溶融スラグ樋に案内する案内部材を設けると、円滑に溶融スラグを溶融スラグ樋へ注ぐことが可能となり、作業効率が向上する。
また、該案内部材の先端部が、前記のように湾曲加工されていると、円滑に溶融スラグが溶融スラグ樋へ流下する。
前記固形物流出阻止板が配設されると、前記の固形物が該ポット本体の上端開口から外部へ流れ出てしまうことがない。
前記ポット本体が逆円錐台形状であると、該ポット本体が堅牢となると共に、内壁に付着した溶融スラグが容易に剥離するという利点がある。
前記ポット本体が鋳鋼であると、該ポット本体が非常に堅牢となると共に、内壁に付着した溶融スラグが容易に剥離し、メンテナンス性に優れるという利点がある。
【０００８】
〔効果〕
本発明は、溶融スラグの固形物が流れ出さない溶融スラグ吐出ポットであるため、歩留まりの高い水砕、風砕又は風水砕処理が可能となる。
【発明を実施するための最良の形態】
【０００９】
本発明を詳細に説明する。なお、本発明は、風砕処理を例に説明しているが、水砕処理設備に適用してもよいし、風水砕処理設備に適用してもよい。
【００１０】
図１に示すように、スラグ風砕処理設備１は、鉱滓車２Ａが停車する溶融スラグ投入位置２を備えている。また、該溶融スラグ投入位置２に隣接して、溶融スラグ吐出ポット３が配置されている。さらに、該溶融スラグ吐出ポット３に隣接して、溶融スラグ樋６が配置されている。また、該溶融スラグ樋６の下方には、風砕処理用の気流を形成する風砕処理手段９が配置されている。
【００１１】
前記の溶融スラグ吐出ポット３は、ポット本体３Ａを有し、該ポット本体３Ａが基台４に傾動可能に枢設されている。そして、該ポット本体３Ａは、公知の傾動手段５により、通常位置から約９０°までの範囲内で傾動する。なお、該ポット本体３Ａの通常位置とは、ポット本体３Ａの中心軸ＣＬ（図２ａ参照）が略鉛直方向となる位置である。
【００１２】
前記スラグ風砕処理設備１にあって、鉱滓車２Ａが溶融スラグ投入位置２に到着すると、該鉱滓車２Ａの荷台に配置されたポット２Ｂが後方へ傾動し、通常位置にある前記溶融スラグ吐出ポット３内に、上端開口３Ｃを介して溶融スラグ２０が投入される。さらに、図２ａに示すように、該溶融スラグ吐出ポット３が傾動して、前記溶融スラグ樋６に溶融スラグ２０が注ぎ出される。該溶融スラグ樋６に注ぎ出された溶融スラグ２０は、下方に流下すると共に、前記風砕処理手段９により形成された気流によって所定方向へ吹き飛ばされて風砕処理される。
【００１３】
〔溶融スラグ吐出ポット〕
前記溶融スラグ吐出ポット３は、鋳鋼性で、約８０ｍｍ〜約１００ｍｍの肉厚で製造された逆円錐台形状のポット本体３Ａを主体としている。また、該ポット本体３Ａの側壁３Ｂ部分には、周囲が囲繞されてなる矩形の貫通孔が開口しており、該貫通孔が溶融スラグ吐出口３０とされている。なお、図４に示すように、該溶融スラグ吐出口３０は、横幅Ｌ１が約１５０ｍｍ〜約３００ｍｍ、縦幅Ｌ２が約１００ｍｍ〜約２００ｍｍである横長矩形とされるのが好ましい。また、該ポット本体３Ａにおいて、該ポット本体３Ａの上縁３Ｄと該溶融スラグ吐出口３０の上縁３０Ａとの天端距離Ｌ３が約２００ｍｍ〜約５００ｍｍとされるのが好ましい。
【００１４】
また、図３に示すように、該ポット本体３Ａの外壁面からは、溶融スラグ案内部材３５が外向きに差し出されている。該溶融スラグ案内部材３５は、前記溶融スラグ吐出口３０の下端に配置され、溶融スラグ吐出口３０の開口面に対して約２０〜３０度の角度で下方に傾斜した傾斜面３５Ａを有する。また、該溶融スラグ案内部材３５は、該溶融スラグ吐出口３０の左右両側に各々立設された案内壁３６，３６を備えている。そして、この案内壁３６，３６の間に、溶融スラグ２０が流れる溶融スラグ案内路３７が形成されている。
【００１５】
また、該溶融スラグ案内部材３５の先端部には、上側湾曲部３８Ａと下側湾曲部３８Ｂとが設けられて丸みが施されている。すなわち、各湾曲部３８Ａ，３８Ｂは、溶融スラグ２０の流動方向（溶融スラグ案内部材３５の差出方向）に沿って各々湾曲加工（Ｒ加工）されており、各湾曲部３８Ａ，３８Ｂにおける曲率半径Ｒ（ｍｍ）は、約６０〜約８０に設定されている。
【００１６】
また、図２，３に示すように、前記ポット本体３Ａの上縁３Ｄであって、前記溶融スラグ吐出口３０の上方位置には、内向き（ポット本体３Ａの中心軸ＣＬ方向）に突き出されたスキンマー４０（例えば多孔性じゃま板）が取り付けられている。なお、該スキンマー４０により、本発明の固形物流出阻止板が構成される。
【００１７】
これまでに述べた構成にあって、溶融スラグ２０が内在した状態でポット本体３Ａが傾動すると、該溶融スラグ２０は、該溶融スラグ吐出口３０から注ぎ出される。このとき、該溶融スラグ吐出口３０の内壁側上縁には、図２ａに示すように、液面に形成された溶融スラグ固形物２０Ａが引っかかって付着していく。このため、該固形物２０Ａは外部へ流出することがない。また、前記天端距離Ｌ３を少なくとも約２００ｍｍ以上に設定したため、該溶融スラグ固形物２０Ａやその他の不純物が上端開口３Ｃから外部へ流出してしまうことがない。すなわち、該溶融スラグ吐出口３０と上縁３Ｄとの間の上壁部３Ｅが、堰の役割を果たしている。
以上より、溶融状態にある溶融スラグ２０のみが該溶融スラグ吐出口３０から吐出されるから、風砕処理における歩留まりが向上し、品質向上につながる。
【００１８】
なお、溶融スラグ吐出口３０から吐出された溶融スラグ２０は、次に前記溶融スラグ案内路３７を流下し、下方に配された前記溶融スラグ樋６に注がれる。ここで、上述のように、該溶融スラグ案内路３７の先端部には、湾曲部３８Ａ，３８Ｂが配されているため、該溶融スラグ２０は、該溶融スラグ案内部材３５の先端部で滞留することなく円滑に、溶融スラグ樋６へ流れ落ちる。
【００１９】
ところで、図２ｂに示すように、該ポット本体３Ａ内の溶融スラグ２０が少量となるにつれて順次該ポット本体３Ａは大きく傾けられるが、前記スキンマー４０により、固形物２０Ａの排出が阻止される。
更に詳述すると、ポット本体３Ａが大きく傾いた状態においては、前記固形物２０Ａは、該スキンマー４０と前記上壁部３Ｅとで挟まれた空間４１に収集されることとなり、上端開口３Ｃから外部へ流出してしまうことがない。なお、該スキンマー４０に配された複数の透孔により、該空間４１に集められた溶融スラグ２０が外部へ流出できるようにしている。
【００２０】
上述した構成は、望ましい形態として説明したが、状況に応じて適宜変更可能である。例えば、前記溶融スラグ案内部材３５は、鋳鋼性としてもよいし、あるいは溶接手段によってポット本体３Ａへ取り付けてもよい。また、本発明の溶融スラグ吐出口３０は、上記寸法に限定されず、また矩形に限定されることもない。なお、溶融スラグ吐出口３０の寸法を適宜変更すると、吐出させる溶融スラグ２０の流量を精度良く所望値に設定することができる。また、上記実施例は、固形物流出阻止板として前記スキンマー４０を採用し、その透孔により溶融スラグ２０の通過を可能としたものであるが、透孔を備えない板部材で固形物流出阻止板を構成してもよい。また、前記固形物流出阻止板は、ポット本体３Ａに対して着脱可能としてもよく、作業状況に応じて取り外してもよい。また、上記した溶融スラグは、酸化スラグであってもよいし、還元スラグであってもよい。
【産業上の利用可能性】
【００２１】
本発明にあっては、歩留まりの高い水砕、風砕、又は風水砕処理が提供されるものであり、産業上利用可能である。
【図面の簡単な説明】
【００２２】
【図１】風砕処理設備の説明図である。
【図２】ａ）は傾動したポット本体の断面図であり、ｂ）はさらに傾動したポット本体の断面図である。
【図３】溶融スラグ吐出口を示す外観斜視図である。
【図４】溶融スラグ吐出口の正面図である。
【符号の説明】
【００２３】
３    溶融スラグ吐出ポット
３Ａ  ポット本体
３Ｂ  側壁
３Ｃ  上端開口
３Ｄ  上端縁
４    基台
６    溶融スラグ樋
２０  溶融スラグ
３０  溶融スラグ吐出口
３５  溶融スラグ案内部材
３７  溶融スラグ案内路
３８Ａ，３８Ｂ  湾曲部
４０  スキンマー（固形物流出阻止板）